(57)【特許請求の範囲】
【請求項１】
取水した海水を貯蔵タンクに貯蔵する工程と、貯蔵した海水を殺菌すると共に冷却する工程と、殺菌すると共に冷却した海水をシャーベット氷発生装置に移してシャーベット氷を生成する工程と、貯蔵した海水の７０％以上のシャーベット氷が生成された段階でシャーベット氷と残存する海水に分離する工程と、生成分離したシャーベット氷を立体形状に固着する工程と、固着成形したシャーベット氷塊の周囲表面に真水を被着する工程と、被着した真水を冷凍してシャーベット氷塊を安定維持する工程とを有することを特徴とするシャーベット氷の製造方法。
【発明の詳細な説明】
【技術分野】
【０００１】
本発明は海水からシャーベット氷と濃塩分海水を製造し、前記シャーベット氷を更に加工して保存及び使用を良好にしたシャーベット氷の製造方法に関するものである。
【背景技術】
【０００２】
海水を利用してシャーベット氷を製造することは知られている。
例えば、特許第４１２４６３２号では、槽に供給された海水を循環させつつ冷却し、海水の一部を凍結させて海水氷を製造し、次いで、槽内の冷却された海水を排水するとともに、排水する海水に対応して海水を汲み上げて冷却しつつ槽に供給して海水の塩分濃度を維持しながら海水氷を製造し、その際、排水する海水と汲み上げた海水とを熱交換させることが開示されている。
【０００３】
また、特開２００７−２７８６６７号公報には、運搬される活魚の冬眠時の呼吸量に応じた量の酸素気泡を含有し、シャーベット状に製氷された後に海水と撹拌混合されてスラリー状を呈することを特徴とする海水氷が開示されている。
【０００４】
さらに、特開２０１３−７６５５３号公報では、原水の塩分濃度の範囲および温度の範囲に条件があることに鑑みて、原水の塩分濃度および温度などの原水の要素を加味して制御し、短時間で良好なシャーベット氷を得る方法が開示されている。
【０００５】
他方、海水より塩を製造することは古くから知られ、技術的には進歩を遂げているけれど、基本原理は変わらずに現在に至って塩作りが行われている。
【先行技術文献】
【特許文献】
【０００６】
【特許文献１】特許第４１２４６３２号公報
【特許文献２】特開２００７−２７８６６７号公報
【特許文献３】特開２０１３−７６５５３号公報
【発明の概要】
【発明が解決しようとする課題】
【０００７】
上記のように、海水の一部を凍結させて海水氷を製造し、この海水氷で活魚の表面に損傷を与えることなく冬眠状態に冷却することができと共に、溶解時に冬眠状態の活魚の旨味を損なうことなく大量の活魚を効率的に運搬する方法が知られている。
特開２００７−２７８６６７号公報では、運搬される活魚の冬眠時の呼吸量に応じた量の酸素気泡を含有し、シャーベット状に製氷された後に海水と撹拌混合されてスラリー状を呈するようにしたものである。
【０００８】
また、この方法では海水の水の部分を氷とするため、製氷が進むにつれて海水の塩分濃度は徐々に濃くなり、この濃度は、氷が全て融解しても海水の濃度と同等にしかならないため、氷の発生に伴い魚介類の品質を維持するには不適当な塩分濃度となる問題がある。
特許第４１２４６３２号公報では、海水の塩分濃度を維持しながら海水氷を製造することができるようにしたものである。
【０００９】
このように従来は、海水から海水氷を製造すると共に、海水に浮遊させた状態で使用して活魚の保存搬送に資するようにすることを目的でしているものである。
そこで、本発明では海水氷を氷としての魚の保冷等、多様に利用できるように維持・保存できるように加工することを目的とするものであり、海水氷の製造に伴って生じる濃塩分海水の有効利用を図ることを目的とするものである。
【課題を解決するための手段】
【００１０】
本発明に係る請求項１の発明は、取水した海水を貯蔵タンクに貯蔵する工程と、貯蔵した海水を殺菌すると共に冷却する工程と、殺菌すると共に冷却した海水をシャーベット氷発生装置に移してシャーベット氷を生成する工程と、貯蔵した海水の７０％以上のシャーベット氷が生成された段階でシャーベット氷と残存する海水に分離する工程と、生成分離したシャーベット氷を立体形状に固着する工程と、固着成形したシャーベット氷塊の周囲表面に真水を被着する工程と、被着した真水を冷凍してシャーベット氷塊を安定維持する工程とを有することを特徴とするシャーベット氷の製造方法である。
【発明の効果】
【００１１】
請求項１の海水からシャーベット氷の製造する方法によれば、取水した海水を貯蔵タンクに貯蔵する工程と、貯蔵した海水を殺菌すると共に冷却する工程により、一定の分量の海水を効率良く殺菌し、次工程のシャーベット氷の生成効率も高める効果を有する。
【００１２】
海水は殺菌されているため、生成されるシャーベット氷は衛生的で広汎な用途に使用可能となる。
貯蔵した海水の７０％以上のシャーベット氷が生成された段階でシャーベット氷を分離するため、残存する海水は当初の３倍を超える塩分濃度を有し、塩の生成に有効な海水を得られる効果も有する。
【００１３】
そして、シャーベット氷を立体形状に固着し、固着成形したシャーベット氷塊の周囲表面に被着した真水を冷凍してシャーベット氷塊としたため、成形形態の維持が不安定なシャーベット氷塊に比べ、周りを真水の氷で固めて成形形態を安定維持できる効果を有するものであり、保存や運搬時に崩れることがなく、表面氷が溶ければ容易にシャーベット氷と成る効果を発揮するものである。
【図面の簡単な説明】
【００１４】
【図１】海水を貯蔵及び殺菌する工程を示す構成図である。
【図２】海水をシャーベット氷に生成する工程、及びシャーベット氷と残存する海水に分離する工程とを示す構成図である。
【図３】シャーベット氷を成形加工する工程図である。
【図４】濃縮された海水を塩製造に利用した工程図である。
【発明を実施するための形態】
【００１５】
図面は本発明の一実施の形態を示す図面であり、図１は、取水した海水を貯蔵タンクに貯蔵する工程と、貯蔵した海水を殺菌すると共に冷却する工程とを示す構成図である。
図１では、貯蔵タンク１から殺菌室２を通り冷水機３へ到り貯蔵タンク１へ戻る循環路を、送水管と循環ポンプ４Ｂを介在させて形成している。
【００１６】
貯蔵タンク１には給水ポンプ４Ａが付設してあり、貯蔵タンク１内には温度の均質を図る撹拌用回転羽根１１を装置し、また、殺菌室２内には殺菌灯２１を装置して通過する海水の殺菌を行っている。
よって、取水した一定量の海水を貯蔵タンク１に貯蔵し、貯蔵した海水を循環させて殺菌すると共に冷却する作用を奏する。
海水の冷却は３℃程度までにしておけば、次工程のシャーベット氷を生成するのに資するものであり、更なる冷却は貯蔵タンク１に氷が発生し、搬送経路の障碍が心配される。
【００１７】
図２は、前記殺菌・冷却した海水を貯蔵タンク１から輸送ポンプ４Ｃでシャーベット氷発生装置に移送してシャーベット氷を生成する工程と、７０％以上のシャーベット氷が生成された段階でシャーベット氷と残存する海水に分離する工程とを示す構成図である。
【００１８】
シャーベット氷発生装置は過冷却槽５とシャーベット氷貯留タンク６より成り、一定量の移送した海水を循環ポンプ４Ｄで循環させ、過冷却槽５で発生させたシャーベット氷をシャーベット氷貯留タンク６内で貯留しておくものである。
シャーベット氷を発生させる過冷却槽５は公知の機から選択可能で、シャーベット氷貯留タンク６内には撹拌用回転羽根６１が装置してある。
【００１９】
海水は、循環ポンプ４Ｄによりシャーベット氷貯留タンク６から送水管を経て、過冷却槽５の水路内へ流入して水路内を流動し、この流動中に冷凍機５１が供給する冷媒により−２．５℃程度に冷却される。
その結果、海水はシャーベット状の流動氷となり、更に、循環ポンプ４Ｄによって過冷却槽５から送氷管を経て噴出ノズル（図示せず。）によりシャーベット氷貯留タンク６内へ噴出され、シャーベット氷として浮遊して貯留される。
【００２０】
一定量の移送した海水の７０％以上のシャーベット氷が生成された段階でシャーベット氷と残存する海水に分離する。
図２においては、上方を解放した上下のタンク７Ａ、７Ｂを積層して中間に濾過素材７１を配設し、上方よりシャーベット氷と残存する海水を投入して上部タンク７Ａにシャーベット氷を、下部タンク７Ｂに残存する海水に分離している。
【００２１】
海水の塩分濃度は概ね３％強の重量％であり、７０％以上のシャーベット氷が生成された段階では、残存する海水は１０重量％以上の塩分濃度を有することになる。
したがって、海水を利用した塩製造における塩の結晶を煮詰めて取り出すための効率の良い塩水の濃縮目安（１０重量％）に達しているものである。
また、シャーベット氷と残存する海水に分離する限界としては、撹拌用回転羽根６１の回転に支障が生じる前の段階（８５％以下）が考えられる。
【００２２】
分離されたシャーベット氷は搬送スクリュー７２により外部へ取り出し、殺菌された衛生的な氷として成形加工して使用され、他方、濃縮された海水は塩製造に利用されることになる。
図３は、シャーベット氷を成形加工する工程図で示す。
【００２３】
搬送スクリュー７２により外部へ取り出したシャーベット氷Ｓ１は、成型容器８に分配されて圧着手段８１で一定の立体形状に成型固着する。
次に、立体形状に成型固着したシャーベット氷塊Ｓ２を収容する成型容器８へ真水Ｗ１を注入し、シャーベット氷塊Ｓ２の周囲表面に真水Ｗ１が被着した状態とし、そのまま成型容器８を冷凍庫９に収容し、被着した真水Ｗ１が冷凍してシャーベット氷塊Ｓ２を真水氷Ｗ２が包被する。
【００２４】
したがって、成形形態の維持が不安定なシャーベット氷塊Ｓ２に比べ、周りを真水氷Ｗ２で固めて成形形態を安定維持できる作用を奏するものであり、保存や運搬時にシャーベット氷塊Ｓ２が崩れることがなく、又、使用中に表面の真水氷Ｗ２が溶ければ容易にシャーベット氷塊Ｓ２、更にシャーベット氷Ｓ１に戻る作用を奏するものである。
【００２５】
図４は、前記シャーベット氷Ｓ１と分離し、濃縮された海水を塩製造に利用した工程を示すものであり、煮詰め工程と脱水工程を経て塩を得るものである。
濃縮された海水の塩分濃度は前記の通り、海水の塩分濃度を３％とすれば、７０％のシャーベット氷が生成された段階では、残存する海水は１０重量％となる。又、８５％のシャーベット氷が生成された段階では、残存する海水は２０重量％の塩分濃度となり、何れの濃度も従来の海水を利用した製塩方法における海水の濃縮工程を充たしてこととなる。
【００２６】
したがって、事後の工程である煮詰め工程と脱水工程を経て塩を効率良く得られるものである。
煮詰め工程は前記下部タンク７Ｂに分離した濃縮海水を輸送ポンプ４Ｅより釜１０１へ溜められバーナー１０２で沸騰させ水分を蒸発させる。
【００２７】
次に、脱水工程に移り、移動グレーン１０３で釜１０１より塩出しし、塩溜容器１０４に移して熱を冷ますと共に、水分を抜いて海水ニガリＮを得る。
海水ニガリＮは豆腐の製造に利用される。
更に、遠心分離機１０５で脱水して目的の塩と成るものである。
【００２８】
以上、本発明を実施の形態を図面に基づき具体的に説明したが、上記の実施形態に限定されるものではなく、発明の思想を逸脱することない範囲の他の実施の形態にも適用可能である。
【符号の説明】
【００２９】
１          貯蔵タンク
２          殺菌室
３          冷水機
４          ポンプ
５          過冷却槽
６          氷貯留タンク
７Ａ、７Ｂ  タンク
８          成型容器
９          冷凍庫
１０１      釜
１０４      塩溜容器
１０５      遠心分離機
Ｓ１        シャーベット氷
Ｓ２        シャーベット氷塊
Ｗ１        真水
Ｗ２        真水氷
【要約】
【課題】海水からシャーベット氷と濃塩分海水を製造する方法、及び前記シャーベット氷を更に加工して保存及び使用を良好にしたシャーベット氷と前記濃塩分海水を利用した塩の製造方法に関する。
【解決手段】取水した海水を貯蔵タンクに貯蔵する工程と、貯蔵した海水を殺菌すると共に冷却する工程と、殺菌すると共に冷却した海水をシャーベット氷発生装置に移してシャーベット氷を生成する工程と、貯蔵した海水の７０％以上のシャーベット氷が生成された段階でシャーベット氷と残存する海水に分離する工程とを有することを特徴とする。
【選択図】  図１【図１】
0005886461.tif 000002
【図２】
0005886461.tif 000003
【図３】
0005886461.tif 000004
【図４】
0005886461.tif 000005